(57)【要約】【課題】一般家庭のガーデニングでも利用可能で、植物栽培の楽しさを維持しながら、誰でも気軽に簡単に植物を育てることができるようにした植物育成ガイドシステムを提供すること。【解決手段】  育成環境測定装置１０１は、植物１０５が置かれている環境を測定し、測定データ、測定日時及びＩＤタグ１０３からの識別コードを対応付けて環境データとして記憶し、該記憶した環境データを植物育成管理装置１０２に無線送信する。植物育成管理装置１０２は、植物１０５の育成に適した育成環境データを記憶する記憶部を有し、前記環境データと前記育成環境データとを比較して、植物１０５が置かれている環境を前記育成に適した育成環境に近づけるような育成ガイドを行う。【選択図】  図１
2010075172.tif 000002
【特許請求の範囲】
【請求項１】
植物が置かれている環境を測定し測定日時とともに環境データとして取得する測定手段と、
前記植物の育成に適した育成環境データを記憶する記憶手段と、
前記環境データと前記育成環境データとを比較し、前記植物が置かれている環境を前記育成に適した育成環境に近づけるような育成ガイドを行う管理手段とを備えて成ることを特徴とする植物育成ガイドシステム。
【請求項２】
前記測定手段は前記環境データとして少なくとも前記植物周囲の温度、湿度、照度を測定すると共に、前記記憶手段には少なくともこれらの環境データについての育成に適した値が前記育成環境データとして記憶されて成り、
前記管理手段は、前記環境データを前記育成環境データに近づけるような育成ガイドを行うことを特徴とする請求項１記載の植物育成ガイドシステム。
【請求項３】
前記管理手段は、前記植物名、環境データ及び育成ガイドを対応付けて表示する表示手段を備えて成ることを特徴とする請求項１又は２記載の植物育成ガイドシステム。
【請求項４】
前記測定手段は前記植物の画像及び前記画像の撮影日時を取得する撮像手段を有し、
前記管理手段は、前記画像及び撮影日時に対応付けて栽培日記を入力する入力手段を有すると共に、前記画像、撮影日時及び栽培日記を対応付けて前記記憶手段に記憶し、
前記画像、撮影日時及び前記栽培日記を対応付けて前記表示手段に表示することを特徴とする請求項３記載の植物育成ガイドシステム。
【請求項５】
前記植物が植えられている鉢に装着して使用され、該鉢を一意的に表す識別コードを送信する識別コード送信手段を有し、
前記記憶手段に記憶した環境データには対応する識別コードが含まれると共に、前記環境データは識別コード毎に区分されていることを特徴とする請求項１乃至４のいずれか一に記載の植物育成ガイドシステム。
【請求項６】
前記測定手段は、棒状に形成されると共にその一部が土中に埋め込んで使用され、全体が土中に埋め込まれるのを規制する規制部が設けられて成ることを特徴とする請求項１乃至５のいずれか一に記載の植物育成ガイドシステム。
【請求項７】
前記環境データは植物の症状を表す症状データであり、前記管理手段は、入力された前記症状を改善するための対策をガイドすることを特徴とする請求項１乃至６のいずれか一に記載の植物育成ガイドシステム。
【請求項８】
前記管理手段は、植物の症状を表す複数の画像を表示する表示手段及び前記表示手段に表示された画像を選択する入力手段を備え、前記入力手段により前記画像を選択して前記症状データを入力することを特徴とする請求項７記載の植物育成ガイドシステム。
【請求項９】
前記環境データは少なくとも植物名であり、前記管理手段は、前記記憶手段に記憶した栽培日記中から前記環境データを満足する前回の栽培日記を検索し、抽出した栽培日記に基づいて前記植物に適したユーザ固有の育成環境をガイドすることを特徴とする請求項４乃至８のいずれか一に記載の植物育成ガイドシステム。
【請求項１０】
前記管理手段は、更に、前記環境データと前記記憶手段に記憶した育成環境データとを比較し、前記植物に適した一般的な育成環境をガイドすることを特徴とする請求項９記載の植物育成ガイドシステム。
【請求項１１】
植物周囲のデータとして少なくとも温度、湿度、照度を含むデータを測定するセンサ手段と、
前記センサ手段が測定した前記データをその測定日時データと対応付けて環境データとして記憶する記憶手段と、
前記記憶手段に記憶した環境データを無線送信する送信手段とを備えて成ることを特徴とする植物環境測定装置。
【請求項１２】
前記植物の画像及び前記画像の撮影日時を取得し、これらを対応付けて前記記憶手段に記憶する撮像手段を備え、
前記送信手段は、更に、前記記憶手段に記憶した画像及び前記画像に対応付けた撮影日時を無線送信することを特徴とする請求項１１記載の植物環境測定装置。
【請求項１３】
前記各手段は棒状に形成された本体部に配設されると共に前記本体部の一部が土中に埋め込んで使用され、前記本体部全体が土中に埋め込まれるのを規制する規制部が設けられて成ることを特徴とする請求項１１又は１２記載の植物環境測定装置。
【請求項１４】
植物が置かれている環境を測定し測定日時とともに環境データとして取得する測定手段と、
植物が置かれている環境のデータ及び前記データの測定日時を対応付けた環境データを受信する受信手段と、
植物の育成に適した育成環境データを記憶する記憶手段と、
前記受信手段が受信した環境データと前記記憶手段に記憶した育成環境データとを比較し、前記植物が置かれている環境を育成に適した育成環境に近づけるような育成ガイドを行うガイド手段とを備えて成ることを特徴とする植物育成管理装置。
【請求項１５】
前記環境データには少なくとも前記植物周囲の温度、湿度、照度が含まれると共に、前記記憶手段には少なくともこれらの環境データの育成に適した値が前記育成環境データとして記憶されて成り、
前記ガイド手段は、前記受信した環境データを前記育成環境データに近づけるような育成ガイドを行うことを特徴とする請求項１４記載の植物育成管理装置。
【請求項１６】
前記ガイド手段は、前記植物名、環境データ及び育成ガイドを対応付けて表示する表示手段を備えて成ることを特徴とする請求項１４又は１５記載の植物育成管理装置。
【請求項１７】
前記受信手段は更に、前記植物を撮影した画像及び前記画像の撮影日時を受信し、
前記ガイド手段は、前記画像及び撮影日時に対応付けて栽培日記を入力する入力手段を有すると共に、前記画像、撮影日時及び栽培日記を対応付けて前記記憶手段に記憶し、
前記画像、撮影日時及び前記栽培日記を対応付けて前記表示手段に表示することを特徴とする請求項１６記載の植物育成管理装置。
【請求項１８】
前記環境データは植物の症状を表す症状データであり、前記ガイド手段は、入力された前記症状を改善するための対策をガイドすることを特徴とする請求項１４乃至１７のいずれか一に記載の植物育成管理装置。
【請求項１９】
植物の症状を表す複数の画像を表示する表示手段及び前記表示手段に表示された画像を選択する入力手段を備え、前記入力手段により前記画像を選択して前記症状データを入力することを特徴とする請求項１８記載の植物育成管理装置。
【請求項２０】
前記環境データは少なくとも植物名であり、前記ガイド手段は、前記記憶手段に記憶した栽培日記中から前記環境データを満足する前回の栽培日記を検索し、抽出した栽培日記に基づいて前記植物に適したユーザ固有の育成環境をガイドすることを特徴とする請求項１４乃至１９のいずれか一に記載の植物育成管理装置。
【請求項２１】
前記ガイド手段は、更に、前記環境データと前記記憶手段に記憶した育成環境データとを比較し、前記植物に適した一般的な育成環境をガイドすることを特徴とする請求項２０記載の植物育成ガイドシステム。
【発明の詳細な説明】
【技術分野】
【０００１】
本発明は、植物の育成に適した方法をガイドする植物育成ガイドシステム、前記植物育成ガイドシステムに使用する植物環境測定装置及び植物育成管理装置に関する。
【背景技術】
【０００２】
従来から、家庭で鉢植えなどを使って種々の植物の栽培が行われている。家庭で鉢植えなどを使って植物を育成・栽培する場合、植物の種類や環境の状態などによって、育てる植物に与える水の量や日光の当て方、肥料の与え方、温度の条件などが異なる。前記のような条件をよく理解していない、もしくは初めて植物を育成・栽培する場合などは、適切な判断ができずに植物を枯らしてしまう場合がある。
この問題を解決するために、特許文献１記載に記載された植物育成情報の提供方法では、ネットワークを通じて、育成しようとする植物の情報を与えると、管理サーバからユーザに育成作業スケジュールを送信提供するように構成している。
【０００３】
しかしながら、前記従来の育成情報の提供方法では、単にユーザに育成作業スケジュールを送信提供するように構成しているに過ぎず、育成作業スケジュールのガイドのみでは面白みに欠け、興味がわくものではない。また、植物の生育に関する情報が不明確で理解しづらいという問題がある。さらに、装置が大掛かりなため、個人の家庭で使用するには難しいという問題がある。
【先行技術文献】
【特許文献】
【０００４】
【特許文献１】特開２００６−２５４７７５号公報
【発明の概要】
【発明が解決しようとする課題】
【０００５】
本発明は、前記問題点に鑑み成されたもので、一般家庭のガーデニングでも利用可能で、植物栽培の楽しさを維持しながら、誰でも気軽に簡単に植物を育てることができるようにした植物育成ガイドシステムを提供することを課題としている。
また、本発明は、前記植物育成ガイドシステムを構築するに適した植物環境測定装置及び植物育成管理装置を提供することを課題としている。
【課題を解決するための手段】
【０００６】
本発明によれば、植物が置かれている環境を測定し測定日時とともに環境データとして取得する測定手段と、前記植物の育成に適した育成環境データを記憶する記憶手段と、前記環境データと前記育成環境データとを比較し、前記植物が置かれている環境を前記育成に適した育成環境に近づけるような育成ガイドを行う管理手段とを備えて成ることを特徴とする植物育成ガイドシステムが提供される。
管理手段は、環境データと育成環境データとを比較し、植物が置かれている環境を育成に適した育成環境に近づけるような育成ガイドを行う。
【０００７】
また、本発明によれば、植物周囲のデータとして少なくとも温度、湿度、照度を含むデータを測定するセンサ手段と、前記センサ手段が測定した前記データをその測定日時データと対応付けて環境データとして記憶する記憶手段と、前記記憶手段に記憶した環境データを無線送信する送信手段とを備えて成ることを特徴とする植物環境測定装置が提供される。
センサ手段は植物周囲のデータとして少なくとも温度、湿度、照度を含むデータを測定する。記憶手段は前記センサ手段が測定した前記データをその測定日時データと対応付けて環境データとして記憶する。送信手段は前記記憶手段に記憶した環境データを無線送信する。
【０００８】
また、本発明によれば、植物が置かれている環境を測定し測定日時とともに環境データとして取得する測定手段と、植物が置かれている環境のデータ及び前記データの測定日時を対応付けた環境データを受信する受信手段と、植物の育成に適した育成環境データを記憶する記憶手段と、前記受信手段が受信した環境データと前記記憶手段に記憶した育成環境データとを比較し、前記植物が置かれている環境を前記育成環境に近づけるような育成ガイドを行うガイド手段とを備えて成ることを特徴とする植物育成管理装置が提供される。
ガイド手段は受信手段が受信した環境データと記憶手段に記憶した育成環境データとを比較し、植物が置かれている環境を育成に適した育成環境に近づけるような育成ガイドを行う。
【発明の効果】
【０００９】
本発明に係る植物育成ガイドシステムによれば、一般家庭のガーデニングでも利用可能で、植物栽培の楽しさを維持しながら、誰でも気軽に簡単に植物を育てることが可能になる。
また、本発明によれば、前記植物育成ガイドシステムを構築するに適した植物環境測定装置及び植物育成管理装置を提供することが可能になる。
【図面の簡単な説明】
【００１０】
【図１】本発明の実施の形態に係る植物育成ガイドシステムの概要を示す全体図である。
【図２】本発明の実施の形態に係る植物環境測定装置の外観を示す斜視図である。
【図３】本発明の実施の形態に係る植物育成ガイドシステムの全体構成を示すブロック図である。
【図４】本発明の実施の形態に係る植物育成ガイドシステムの動作を示すフローチャートである。
【図５】本発明の実施の形態に係る植物育成ガイドシステムの動作を示すフローチャートである。
【図６】本発明の実施の形態に係る植物育成ガイドシステムで使用する基準データを示す図である。
【図７】本発明の実施の形態に係る植物育成ガイドシステムで使用するガイドデータを示す図である。
【図８】本発明の実施の形態に係る植物育成ガイドシステムで使用する環境データのテーブルである。
【図９】本発明の実施の形態に係る植物育成ガイドシステムの説明図である。
【図１０】本発明の実施の形態に係る植物育成ガイドシステムの説明図である。
【図１１】本発明の実施の形態に係る植物育成ガイドシステムの表示を示す図である。
【図１２】本発明の実施の形態に係る植物育成ガイドシステムの表示を示す図である。
【図１３】本発明の実施の形態に係る植物育成ガイドシステムの表示を示す図である。
【図１４】本発明の実施の形態に係る植物育成ガイドシステムの表示を示す図である。
【図１５】本発明の実施の形態に係る植物育成ガイドシステムの表示を示す図である。
【図１６】本発明の実施の形態に係る植物育成ガイドシステムの表示を示す図である。
【図１７】本発明の実施の形態に係る植物育成ガイドシステムの表示を示す図である。
【発明を実施するための形態】
【００１１】
以下、本発明の実施の形態に係る植物育成ガイドシステム、植物環境測定装置及び植物育成管理装置について説明する。尚、各図において同一部分には同一符号を付している。
図１は、本発明の実施の形態に係る植物育成ガイドシステムの概要を示す全体図である。
図１において、植物育成ガイドシステムは、植物環境測定装置１０１、パーソナルコンピュータによって構成された植物育成管理装置１０２及びＩＤタグ１０３を備えている。
鉢１０４内には植物１０５を育成させるための土１０６が入れられている。植物環境測定装置１０１の先部側が土１０６内に埋め込まれ、後部側が土１０６上部に突出している。ＩＤタグ１０３は、一意的な識別（ＩＤ）コードを無線送信するタグである。ＩＤタグ１０３は鉢１０４に取り付けて使用され、該鉢１０４を表す固有の識別コードを無線送信する。
例えば、鉢１０４は家庭のベランダに配置され、植物育成管理装置１０２として室内に配置されたパーソナルコンピュータが使用される。
【００１２】
図２は、植物環境測定装置１０１の外観を示す斜視図である。
図２において、植物環境測定装置１０１は、略棒状に構成された本体部２１３を有しており、本体部２１３は先部側２１１及び先部側２１１よりも太く形成された後部側２１２によって構成されている。植物環境測定装置１０１の先部側２１１を土中に埋めた場合、先部側２１１との境界に形成される後部側２１２の規制部２０３によって、後部側２１２が土中に埋まらないように構成されている。
【００１３】
先部側２１１の先端には温度センサ２０１が設けられると共に、その後部側２１２寄りには長さ方向に所定間隔を置いて複数（本実施の形態では３つ）の湿度センサ２０２が配設されている。植物環境測定装置１０１の先部側２１１を土中に埋めた場合、各湿度センサ２０２は、深さに応じた土中の湿度を測定するように構成されている。このように、土中の湿度を計測するための湿度センサ２０２を複数個所に設け、土中の湿度を異なる深さごとに測定し、与える水分量を詳細にガイドできるように構成されている。
後部側２１２には、撮影スイッチ２０４、通信スイッチ２０５、測定スイッチ２０６、電源スイッチ２０７、測定中か測定終了かを示す検出ランプ２０８、カメラ２０９及び配置した場所での日の当たり具合を検出するための照度センサ２１０が設けられている。
【００１４】
図３は、本発明の実施の形態に係る植物育成ガイドシステムの全体構成を示すブロック図である。
図３において、植物育成ガイドシステムは、植物環境測定装置１０１、パーソナルコンピュータより成るホスト装置によって構成された植物育成管理装置１０２、ＩＤタグ１０３を備えている。
【００１５】
植物環境測定装置１０１は、ＩＤタグ１０３から識別コードを無線によって受信するＩＤ受信部３０１、中央処理装置（ＣＰＵ）によって構成され植物環境測定装置１０１の各構成要素の制御等を行う制御部３０２、植物の環境を測定するセンサ群３０３、時刻を計時する時刻計数部３０４、前記ＣＰＵが実行するプログラムやセンサ群３０３が測定した環境データ等の各種データを記憶するデータ記憶部３０５、動作ランプ３０６、操作スイッチ３０７、測定したデータの送信等を植物育成管理装置１０２との間で行う第１通信部３０８を備えている。
【００１６】
センサ群３０３には、温度センサ２０１、湿度センサ２０２、照度センサ２１０が含まれている。動作ランプ３０６には、検出中か否かを表す検出ランプ２０８の他、電源が投入されて動作中か否かを示す動作ランプが含まれている。前記動作ランプは検出ランプ２０８によって兼用することも可能である。操作スイッチ３０７には、撮影スイッチ２０４、通信スイッチ２０５、測定スイッチ２０６、電源スイッチ２０７が含まれている。
【００１７】
植物環境測定装置１０１は、ＩＤタグ１０３からの識別コードと時刻データと環境データを対応付けて定期的に（例えば１時間毎）、またはユーザが測定スイッチ２０６を操作したときに、データ記憶部３０５に保存する。
また、ユーザが通信スイッチ２０５を操作した場合はデータ記憶部３０５に保存したデータを植物育成管理装置１０２に送信する。
【００１８】
植物育成管理装置１０２は、植物環境測定装置１０１の第１通信部３０８との間で通信を行う第２通信部３１１、中央処理装置（ＣＰＵ）によって構成され植物育成管理装置１０２の各構成要素の制御等を行う制御部３１２、前記ＣＰＵが実行するプログラムや植物環境測定装置１０１から受信した環境データ等を記憶する記憶部３１３、植物を育成するガイドデータを記憶するガイドデータベース３１４、液晶表示部等によって構成されたた表示部３１５、キーボードやマウスによって構成された操作部３１６を備えている。植物育成管理装置１０２としては、パーソナルコンピュータ以外にも、ゲーム機によって構成することができる。
【００１９】
尚、植物環境測定装置１０１は測定手段を構成している。温度センサ２０１、湿度センサ２０２及び照度センサ２１０はセンサ手段を構成している。データ記憶部３０５は第１記憶手段を構成し、通信部３０８は送信手段を構成している。
記憶部３１３及びガイドデータベース３１４は第２記憶手段を構成している。通信部３１１、制御部３１２、表示部３１５及び操作部３１６は管理手段を構成している。制御部３１２、表示部３１５及び操作部３１６はガイド手段を構成している。表示部３１５は表示手段を構成し、カメラ２０９は撮像手段を構成し、操作部３１６は入力手段を構成し又、通信部３１１は受信手段を構成している。
また、ＩＤタグ１０３は識別コード送信手段を構成している。
【００２０】
図６は、ガイドデータベース３１４に格納されている基準データを示す図である。図６において、基準データは複数の植物に関して各植物毎に、「植物名」、及び、当該植物の育成に適した環境データとして「温度範囲」、「湿度範囲」、「照度範囲」が対応付けられた構成となっている。
図６の例では、植物として、トマト、ナス、ダイコン、モヤシ等が含まれている。トマトの育成に適した環境データの例として、温度範囲が「２０〜２５℃」、湿度範囲が「３０〜５０％」、照度が「５〜８」なるデータが記憶されている。
【００２１】
図７は、ガイドデータベース３１４に格納されているガイドデータを示す図である。図７において、ガイドデータには、温度を判定して該温度に応じたガイド内容のガイドデータ、湿度を判定して該湿度に応じたガイド内容のガイドデータ、照度を判定して該照度に応じたガイド内容のガイドデータが含まれている。
ガイド表示に際しては、各センサ２０１、２０２、２１０から得た環境データと各植物の前記基準データを比較し、「温度範囲」、「湿度範囲」、「照度範囲」それぞれについてガイドデータを用いて適切な内容の育成ガイドを得るように構成されている。
【００２２】
例えば、温度に関するガイド内容としては、温度センサ２０１によって測定した土１０６中の周囲温度Ｔが図６の基準温度範囲を超える場合、「涼しい場所へ移してください」という内容のガイドを行うように対応付けられている。前記周囲温度Ｔが前記基準温度範囲内の場合、「良好といえるでしょう」という内容のガイドを行うように対応付けられている。また、前記周囲温度Ｔが前記基準温度範囲を下回る場合、「暖かい場所へ移して下さい」という内容のガイドを行うように対応付けられている。
【００２３】
ＩＤタグ１０３はＩＤタグ１０３に固有の識別コードを記憶したＩＤ記憶部３２３、ＩＤタグ１０３の構成要素を制御する制御部３２２、前記識別コードを植物環境測定装置１０１のＩＤ受信部３０１に送信するＩＤ送信部３２１を有している。前記識別コードは、ＩＤタグ１０３が鉢に取り付けて使用されるとき、当該鉢を表す鉢固有の識別コードとなる。前記識別コードは、ＩＤ送信部３２１からＩＤ受信部３０１へ内蔵電池を電源として定期的に送信するように構成してもよく、ＲＦ−ＩＤのように植物環境測定装置１０１から電源供給されたときにＩＤ送信部３２１からＩＤ受信部３０１へ送信するように構成する等、種々の変更が可能である。
図４、図５は、本実施の形態に係る植物育成ガイドシステムの動作を示すフローチャートで、図４は植物環境測定装置１０１のフローチャート、図５は植物育成管理装置１０２のフローチャートであり、主として制御部３０２、３１２の処理を示している。
【００２４】
以上のように構成された実施の形態の動作を説明する。
先ず、本実施の形態における育成ガイド例を概略説明すると、植物環境測定装置１０１から識別コードを含む環境データを送信すると、植物育成管理装置１０２側で前記識別コードを読み取り、測定時刻とともに環境データを保存する。そのデータから現状が適した環境にあるかどうかを判定する。
【００２５】
例えば、植物育成管理装置１０２において植物名を『トマト』と入力し又、種をまいた日時を設定して育成する。植物環境測定装置１０１を使って最新の鉢植えの環境データを取得し、植物育成管理装置１０２へ送信する。
植物育成管理装置１０２は、得られたデータをもとにガイドデータベース３１４から育成に最適なガイドを検索し、環境データ（例えば温度、湿度、照度）についてガイドを表示する。
【００２６】
植物育成管理装置１０２は、温度が２０℃〜２５℃が適温である植物に対して、土の温度データが２２℃の時は良好と判断しガイドする。低ければ暖かい場所へ移動するようガイドし、高ければ涼しい場所へ移動するようにする。湿度が３０％湿った状態でその時刻が朝であればたっぷり水をあげる、昼であれば表面が湿る程度に水をあげる、夕方以降であれば水は必要ありません等、湿度と測定時刻から判断しガイドする。照度は、日光に当たるほうがよい植物に対しては日当たりのよい場所へ、そうでなければ涼しい場所へなどのガイドするように構成されている。
【００２７】
以下、図面に沿って本実施の形態の動作を詳細に説明する。
図１に示したように、植物環境測定装置１０１の規制部２０３が鉢１０４内の土１０６表面に当接するまで、先部側２１１が土１０６内に埋め込まれて使用される。また、鉢１０４にはＩＤタグ１０３が取り付けて使用される。ユーザは、植物環境測定装置１０１を動作させる場合、電源スイッチ２０７を操作することによって電源を投入して動作させる。
ＩＤタグ１０３の制御部３２２は、ＩＤ記憶部３２３に記憶した識別コードを、ＩＤタグが装着された鉢１０４を表す固有の識別コードとして、ＩＤ送信部３２１からＩＤ受信部３０１へ送信するように制御する。
【００２８】
植物環境測定装置１０１の制御部３０２は、通信スイッチ２０５が操作されたか否かを判定し（ステップＳ４０１）、通信スイッチ２０５が操作されたと判定した場合にはデータ記憶部３０５に記憶されている環境データ（データ形式の詳細は後述する。）を読み出して、植物育成管理装置１０２へ送信するように通信部３０８を制御する（ステップＳ４０７）。
【００２９】
制御部３０２は、処理ステップＳ４０１において通信スイッチ２０５が操作されていないと判定すると、測定スイッチ２０６が操作されていない場合（ステップＳ４０２）、定期的に自動測定を行う時刻である定期測定時刻が到来したか否かを判定する（ステップＳ４０３）。
制御部３０２は、処理ステップＳ４０３において定期測定時刻が到来したと判定した場合には、ＩＤ受信部３０１がＩＤタグ１０３から受信した識別コード、現在時刻（測定時刻に相当する）及び各センサ２０１、２０２、２１０が測定したデータを対応付けて環境データとしてデータ記憶部３０５に記憶する（ステップＳ４０４、Ｓ４０５、Ｓ４０６）。
【００３０】
植物１０５がおかれている周辺環境の環境データを測定する場合、制御部３０２は、温度センサ２０１が土１０６中の温度を、複数の湿度センサ２０２が土１０６中の各所定深さの湿度を又、照度センサ２１０が植物１０５を照射する光（例えば日光）の照度を各々測定するように制御し、各センサ２０１、２０２、２１０の測定データを、測定時刻及び識別コードに対応付けて環境データとしてデータ記憶部３０５に記憶する。制御部３０２は、データを測定している間、データ測定中であることを示すために検出ランプ２０８を点灯させる。
【００３１】
制御部３０２は、処理ステップＳ４０２において通信スイッチ２０５が操作されたと判定すると、処理ステップＳ４０４へ移行する。これにより、手動操作による環境データの測定保存処理が前記同様にして行われる。
また、制御部３０２は、処理ステップＳ４０３において定期測定時刻が到来していないと判定すると、処理ステップＳ４０１に戻る。
以上のようにして、手動操作又は自動によって定期的に周囲環境のデータを測定してデータ記憶部３０５に記憶し、送信指示に応答して、データ記憶部３０５に記憶した環境データを植物育成管理装置１０２に送信する。
【００３２】
ここで、環境データは、図８の形式でデータ記憶部３０５に記憶される。図８は、データ記憶部３０５に記憶された環境データのテーブルであり、前記テーブルには４つの鉢についての環境データが格納された例を示している。
図８において、各鉢の環境データは、鉢の識別コード、データの測定時刻、温度センサ２０１が測定した温度、湿度センサ２０２が測定した湿度（複数の湿度センサ２０２が測定した湿度が格納されるが、図８では１つの湿度を示している。）、及び、照度センサ２１０が測定した照度を対応付けた構成となっている。
【００３３】
尚、本実施の形態では、同じ識別コードの環境データについては、環境データを測定する毎に、古い環境データは最新の環境データによって上書き消去され、前記最新の環境データのみを保存するように構成されているが、過去の環境データも測定した時系列的に保存しておき、植物育成管理装置１０２に送信した後に送信完了した環境データを消去するように構成してもよい。
【００３４】
植物育成管理装置１０２は、植物環境測定装置１０１から図８に示す環境データを受信して記憶部３１３に記憶する（ステップＳ５０１）。前記環境データに含まれる識別コードが初めて受信するコードあり既知でない場合には（ステップＳ５０２）、表示部３１５を制御して、ユーザに対して操作部３１６から植物の種類（植物名）及び種をまいた日時を入力するように促すよう表示する。
【００３５】
ここで、制御部３１２は植物環境測定装置１０１から環境データを受信する毎に順次記憶部３１３に記憶するように制御し、過去の環境データが履歴として記憶部３１３に保存されるように構成されている。
制御部３１２は、操作部３１６から植物名（例えば「トマト」）が入力されると、記憶部３１３に記憶した前記環境データ中の最新の環境データを参照して、ガイドデータベース３１４から適合する育成ガイドを検索し（ステップＳ５０４）、表示部３１５が図７のガイド内容を表示するように制御する（ステップＳ５０５）。
【００３６】
これにより、表示部３１５には、図９に示すように、現在の育成状況に適した育成ガイドが表示される。即ち、図９において、表示部３１５には、（１）識別コード、育成している植物名及び種を植えた日を含む育成データ９０１、（２）土の温度、土中湿度、照度及びデータ更新日時（環境データを最新に測定した日時）を含む最新の測定データ９０２、（３）前記最新の温度、湿度、照度に対する対処指示を含むガイドデータ９０３が表示される。
制御部３１２は、処理ステップＳ５０２において、識別コードが既知のものである場合、当該識別コードに関連付けて既に入力されている植物の種類や環境データを参照して、前記同様にしてガイドデータ９０３を表示部３１５に表示する。
【００３７】
図１０は、植物育成管理装置１０２が栽培記録を表示する場合の説明図である。育成中の植物１０５に何か変化があった時など、記録として残しておく時にカメラ２０９で撮影するようにしたものである。
図２及び図３において、ユーザが撮影スイッチ２０４を操作してカメラ２０９によって育成中の植物１０５を撮影すると、撮影した画像データ、撮影日時データ及び識別コードが対応付けてデータ記憶部３０５に記憶される。
【００３８】
次に、ユーザが通信スイッチ２０５を操作すると、制御部３０２は、通信スイッチ２０５の操作に応答して、データ記憶部３０５に記憶されている画像データ及び撮影日時データを識別コードとともに通信部３０８から植物育成管理装置１０２へ送信する。このとき、データ記憶部３０５に環境データが記憶されている場合にはこれも送信される。
植物育成管理装置１０２では、制御部３１２は、通信部３１１が前記画像データ、撮影日時データ及び識別コードを受信すると、識別コードに対応する植物の栽培育成記録として記憶部３１３に記憶する。ここでユーザは栽培日記として栽培記録などのコメントを操作部３１６から入力して、識別コードに対応付けて記憶部３１３に記憶させることができる。
【００３９】
操作部３１６によって識別コードあるいは植物名を指定して栽培記録の閲覧操作を行うと、制御部３１２は記憶部３１３に記憶した栽培記録の中から指定された植物の栽培記録を図１０に示すように表示部３１５に表示する。即ち、表示部３１５には、図１０に示すように、栽培記録の表示として、（１）識別コード、植物名及び種を植えた日を含む育成データ９０１、（２）撮影日時及び撮影した画像を含む画像データ１００１、（３）栽培日記を含む記録入力データ１００２が表示される。これにより、育成状況を容易に記録することが可能になり又、育成状況を容易に確認することが可能になる。
【００４０】
以上述べたように、本発明の実施の形態に係る植物育成ガイドシステムは、育成環境測定装置１０１は、植物１０５が置かれている環境を測定し、測定データ、測定日時及びＩＤタグ１０３からの識別コードを対応付けて環境データとして記憶し、該記憶した環境データを植物育成管理装置１０２に無線送信する。植物育成管理装置１０２は、植物１０５の育成に適した育成環境データを記憶するガイドデータベース３１４を有し、前記環境データと前記育成環境データとを比較して、植物１０５が置かれている環境を前記育成に適した育成環境に近づけるような育成ガイドを行うように構成されている。
【００４１】
したがって、一般家庭のガーデニングでも利用可能で、植物栽培の楽しさを維持しながら、誰でも気軽に簡単に植物を育てることが可能になる。
また、植物環境測定装置１０１が１つあればどの植物にでも複数利用することができる。  また、そのデータをもとに適切かつ理解しやすい育成ガイドをするため、栽培の知識がなくても多様な植物を容易に栽培することが可能になる。
【００４２】
さらに、湿度や温度の急激な変化に弱い植物に対して適切な配置場所等を決めることができる等の効果を奏する。
また、本実施の形態によれば前記植物育成ガイドシステムを構築するに適した植物環境測定装置１０１及び植物育成管理装置１０２を提供することが可能になる。
尚、前記実施の形態では、環境データとして、温度、湿度、照度の例を挙げたが、植物環境測定装置１０１にｐＨセンサを設け、環境データとして土１０６のｐＨ値を含める等、種々の変更が可能である。また、後述するように、植物の病気等の症状を環境データとして用いることができる。
【００４３】
図１１〜図１３は、本発明の実施の形態において環境データとして植物の病気等の症状を用いて、育成中の植物の育成ガイドを示す例である。
操作部３１６によって識別コードあるいは植物名を検索条件として指定して、現在栽培中の植物の症状別育成ガイド検索操作を行うと、制御部３１２はガイドデータベース３１４に記憶した栽培記録の中から指定された検索条件を満足する栽培記録を検索し、図１１の症状入力画面を表示部３１５に表示する。図１１の症状入力画面では、（１）識別コード、植物名及び種を植えた日を含む育成データ９０１、（２）植物の撮影日時及び撮影した植物の画像データを含む栽培記録１００１と、（３）症状入力欄１１０１及び診断指示入力欄１１０２が表示される。
【００４４】
ユーザが操作部３１６により、環境データとして植物の病気の症状を症状入力欄１１０１に入力（図１１の例では「葉が白くなっている」旨の入力）した後、診断指示入力欄１１０２をクリックして診断指示すると、制御部３１２はガイドデータベース３１４に予め記憶した複数の診断データを検索して、図１２の診断結果表示画面に示すように、症状を満足する診断結果（トマトの葉が白くなった場合の病気の診断結果）１を診断結果表示欄１２０１に表示する。
ユーザが操作部３１６により、診断結果表示欄１２０１内の対策指示入力欄１２０２をクリックして対策方法表示指示を行うと、制御部３１２は、ガイドデータベース３１４に記憶した複数の対策方法のデータを検索して、図１３に示すように、診断結果表示欄１２０１に表示した診断結果に対応する、症状を改善する対策方法を育成ガイドとして対策表示欄１３０１に表示する。
【００４５】
尚、植物の症状を操作部３１６から文字入力するのではなく、表示部３１５に症状別の複数の画像を表示し、育成中の植物の症状にあった画像を操作部３１６で選択することによって症状を入力するように構成してもよい。
このように、植物を育成中に病気等の症状が出た場合に、病気等の症状を環境データとして使用して症状を改善する対策方法を検索し、該症状に適した対策方法を育成ガイドとして分かりやすく示すことができ又、育成中の植物が罹りやすい病気の特徴、事後対策あるいは事前対策などのガイドを行うことが可能になる。また、画像データを選択することによって症状を入力する方法では、その病名や特徴、対策方法などをガイドするように構成してもよい。
【００４６】
図１４〜図１７は、本発明の実施の形態において、植物を育成開始する前の育成ガイドを示す例で、環境データとして植物名や栽培地あるいは栽培開始する時期（年月日）等を用いる例である。環境データに基づいて、ガイドデータベース３１４に予め記憶した一般的なガイドデータと、記憶部３１に記憶した過去に育成した植物の育成データ（例えばガイド日記）を検索し、一般的な育成ガイドと前回の育成データを参照した固有の育成ガイドとを表示するように構成している。尚、いずれか一方の育成ガイドのみを表示するように構成してもよい。
【００４７】
図１４は、育成する植物名と栽培地を環境データとして用いる場合の環境データ入力画面を示す図で、操作部３１６によって、表示部３１５の環境データ入力欄１４０１に識別コード、植物名及び栽培地を環境データとして入力した状態を示している。環境データ入力欄１４０１内にはガイド指示入力欄１４０２が表示されている。尚、環境データとしては少なくとも植物名があればよい。
図１５は、育成する植物名、育成環境、栽培地、栽培開始時期、設置場所等を環境データとして用いる場合の環境データ入力画面を示す図で、操作部３１６によって、表示部３１５の環境データ入力欄１５０１に識別コード、植物名、育成環境、栽培地、栽培開始時期、植物の設置場所を環境データとして入力した状態を示している。環境データ入力欄１５０１内にはガイド指示入力欄１５０２が表示されている。尚、図１４の例と同様に、環境データとしては少なくとも植物名があればよい。
【００４８】
図１４又は図１５のように環境データを入力して、ガイド指示入力欄１４０２又は１５０２を操作部３１６によってクリックすると、制御部３１２はガイドデータベース３１４に記憶した一般的なガイドデータを検索して一般的な育成ガイドを生成すると共に、記憶部３１に記憶した過去の育成データ（栽培日記）を参照して環境データの条件を満足する前回の育成データを抽出し、当該育成データを参照して前回よりも良好に育成できるユーザ固有の育成ガイドを生成し、前記一般的な育成ガイドとユーザ固有の育成ガイドを表示部３１５に表示する。
【００４９】
図１６の例は、図１５のように環境データを入力した状態でガイド指示入力欄１５０２をクリックした場合に表示される育成ガイドの表示である。
図１６において、表示部３１５には、一般的な育成ガイド欄１６０１、当該ユーザが前回育成したときの育成データを参照して前回よりも良好に育成できるようにするためのユーザ固有の育成ガイド欄１６０２が表示されている。また、前回の育成データを表示させるための前回育成データ表示指示入力欄１６０３が表示されている。
【００５０】
このように、少なくとも植物名を環境データとして使用し、前記環境データとガイドデータベース３１４に記憶した育成環境データとを比較し、前記植物に適した一般的な育成環境をガイドする。
また、記憶部３１に記憶した過去の栽培日記中から前記環境データを満足する前回の栽培日記を検索し、抽出した栽培日記に基づいて前記植物に適したユーザ固有の育成環境をガイドする。
操作部３１６によって前回育成データ表示指示入力欄１６０３をクリックすると、制御部３１６は記憶部３１に記憶した過去の育成データ（栽培日記）を検索して、図１７に示すように、前記環境データを満足する前回の育成データ１７０１を表示する。
【００５１】
このように、植物の育成前に植物名等を環境データとして使用して対策方法を検索し、環境データを同じくする前回の育成データを参照して更に良好な育成を行えるようなユーザ固有の育成ガイドを示すことによって、ユーザは更に良好な育成を行うことが可能になる。
また、ユーザ固有の育成ガイドとともに一般的な育成ガイドを示すことにより、分かりやすい育成ガイドを示すことが可能になる。
また、前回の育成データを示すことで、育成する上での参考にすることが可能になる。
【産業上の利用可能性】
【００５２】
野菜、果物、花をはじめとする各種の植物を育成するための植物育成ガイドシステム、植物環境測定装置、植物育成管理装置に利用可能である。
【符号の説明】
【００５３】
１０１・・・植物環境測定装置
１０２・・・植物育成管理装置
１０３・・・ＩＤタグ
１０４・・・鉢
１０５・・・植物
１０６・・・土
２０１・・・温度センサ
２０２・・・湿度センサ
２０３・・・規制部
２０４・・・撮影スイッチ
２０５・・・通信スイッチ
２０６・・・測定スイッチ
２０７・・・電源スイッチ
２０８・・・検出ランプ
２０９・・・カメラ
２１０・・・照度センサ
２１１・・・先部側
２１２・・・後部側
２１３・・・本体部
３０１・・・ＩＤ受信部
３０２・・・制御部
３０３・・・センサ群
３０４・・・時刻計数部
３０５・・・データ記憶部
３０６・・・動作ランプ
３０７・・・操作スイッチ
３０８・・・第１通信部
３１１・・・第２通信部
３１２・・・制御部
３１３・・・記憶部
３１４・・・ガイドデータベース
３１５・・・表示部
３１６・・・操作部
９０１・・・育成データ
９０２・・・測定データ
９０３・・・ガイドデータ
１００１・・・画像データ
１００２・・・記録入力データ
１１０１・・・症状入力欄
１１０２・・・診断指示入力欄
１２０１・・・診断結果表示欄
１２０２・・・対策指示入力欄
１３０１・・・対策表示欄
１４０１・・・環境データ入力欄
１４０２・・・ガイド指示入力欄
１５０１・・・環境データ入力欄
１５０２・・・ガイド指示入力欄
１６０１・・・一般的な育成ガイド欄
１６０２・・・ユーザ固有の育成ガイド欄
１６０３・・・前回育成データ表示指示入力欄
１７０１・・・前回育成データ
【図１】
2010075172.tif 000003
【図２】
2010075172.tif 000004
【図３】
2010075172.tif 000005
【図４】
2010075172.tif 000006
【図５】
2010075172.tif 000007
【図６】
2010075172.tif 000008
【図７】
2010075172.tif 000009
【図８】
2010075172.tif 000010
【図９】
2010075172.tif 000011
【図１０】
2010075172.tif 000012
【図１１】
2010075172.tif 000013
【図１２】
2010075172.tif 000014
【図１３】
2010075172.tif 000015
【図１４】
2010075172.tif 000016
【図１５】
2010075172.tif 000017
【図１６】
2010075172.tif 000018
【図１７】
2010075172.tif 000019